(57)【要約】【課題】少なくともナットに対する緩み点検が可能であり、ボルトの端部に対してナットが螺合されているような箇所ではナットの緩み点検とボルトの緩み点検との両方を行えるようにする。【解決手段】ナットＮの頭頂面を被覆する天蓋部１０とこの天蓋部１０の外周部を取り囲んで設けられてナットＮまわりの側面に回り止め接触部１３を接触させつつ被覆する外壁部１１とを有して成るナットカバー２を主体とするものであって、ナットカバー２の天蓋部１０にはナットＮに設けられた雌ネジ孔に合致する中央孔１２が設けられており、天蓋部１０又は外壁部１１の少なくとも一方に周方向の特定方位を指示する方位指標が設けられている。【選択図】図１
2019196814.tif 000002
【特許請求の範囲】
【請求項１】
ナットの頭頂面を被覆する天蓋部と当該天蓋部の外周部を取り囲んで設けられて前記ナットまわりの側面に回り止め接触部を接触させつつ被覆する外壁部とを有して成るナットカバーを主体とするものであって、
前記ナットカバーの前記天蓋部には前記ナットに設けられた雌ネジ孔に合致する中央孔が設けられており、
前記天蓋部又は前記外壁部の少なくとも一方に周方向の特定方位を指示する方位指標が設けられている
ことを特徴とするキャップ。
【請求項２】
前記ナットカバーの前記回り止め接触部は、前記ナットの側面に設けられた工具係合面に対して当該ナットの緩み回転を受けて係合する凹凸係合部によって形成されていることを特徴とする請求項１に記載のキャップ。
【請求項３】
前記ナットカバーの前記天蓋部に設けられた前記中央孔に対して合致するボルト挿入孔を有して筒状に形成されていると共に、前記ボルト挿入孔の内面には前記ナットカバーの前記中央孔内から突出するボルト端の側面に対して接触する回り止め接触部が設けられたボルト端カバーが前記ナットカバーとは別体で付属されており、
前記ボルト端カバーの外面に周方向の特定方位を指示する方位指標が設けられている
ことを特徴とする請求項１又は請求項２に記載のキャップ。
【請求項４】
前記ボルト端カバーの前記回り止め接触部は、前記ボルト端よりも軟質の素材で形成されて且つ前記ボルト端の側面に設けられた雄ネジ部とは逆ねじ関係の雌ネジ状の線状突起によって形成されていることを特徴とする請求項３に記載のキャップ。
【請求項５】
前記ナットカバーの前記方位指標は前記天蓋部において前記中央孔の開口周部に一部を届かせる配置とされ、前記ボルト端カバーの前記方位指標は一部を前記ボルト挿入孔の開口周部に届かせる配置とされて、両カバーの相対回転でそれぞれの前記方位指標同士が周方向で相互接近離反可能とされていることを特徴とする請求項３に記載のキャップ。
【発明の詳細な説明】
【技術分野】
【０００１】
本発明は、締め付けられたナットやボルトの緩み点検などに好適に使用することができるキャップに関する。
【背景技術】
【０００２】
締め付け後のナットが緩みを生じていないかを点検する作業は、目視点検や打撃音検査、或いはトルクレンチ等の工具を用いた締め付け検査によって行うのが旧来の一般的な方法であったが、この種の作業を簡略化するため、方位表示を施したゴム製や樹脂製のキャップをナット等に被せることが公知となっている（例えば、特許文献１等）。
【先行技術文献】
【特許文献】
【０００３】
【特許文献１】特開２００１−５０２３３号公報
【発明の概要】
【発明が解決しようとする課題】
【０００４】
従来のキャップは、ナット又はボルトに対して単独で装着するものであり、部材を貫通させたボルトの端部に対してナットが螺合されているような箇所であっても、ナットかボルトのいずれか一方にしか活用できないという問題があった。そのため、キャップに施された方位表示が規定方向から位置ズレしていた場合には、ナットとボルトのいずれに緩みが生じているかを確認することができなかった。
【０００５】
本発明は、上記事情に鑑みてなされたものであって、少なくともナットに対する緩み点検が可能であり、ボルトの端部に対してナットが螺合されているような箇所ではナットの緩み点検とボルトの緩み点検との両方を行うこともできるようにしたキャップを提供することを目的とする。
【課題を解決するための手段】
【０００６】
前記目的を達成するために、本発明は次の手段を講じた。
即ち、本発明に係るキャップは、ナットの頭頂面を被覆する天蓋部と当該天蓋部の外周部を取り囲んで設けられて前記ナットまわりの側面に回り止め接触部を接触させつつ被覆する外壁部とを有して成るナットカバーを主体とするものであって、前記ナットカバーの前記天蓋部には前記ナットに設けられた雌ネジ孔に合致する中央孔が設けられており、前記天蓋部又は前記外壁部の少なくとも一方に周方向の特定方位を指示する方位指標が設けられていることを特徴とする。
【０００７】
この場合、前記ナットカバーの前記回り止め接触部は、前記ナットの側面に設けられた工具係合面に対して当該ナットの緩み回転を受けて係合する凹凸係合部によって形成されたものとすることができる。
前記ナットカバーの前記天蓋部に設けられた前記中央孔に対して合致するボルト挿入孔を有して筒状に形成されていると共に、前記ボルト挿入孔の内面には前記ナットカバーの前記中央孔内から突出するボルト端の側面に対して接触する回り止め接触部が設けられたボルト端カバーが前記ナットカバーとは別体で付属されており、前記ボルト端カバーの外面に周方向の特定方位を指示する方位指標が設けられているものとするのがよい。
【０００８】
この場合、前記ボルト端カバーの前記回り止め接触部は、前記ボルト端よりも軟質の素材で形成されて且つ前記ボルト端の側面に設けられた雄ネジ部とは逆ねじ関係の雌ネジ状の線状突起によって形成されたものとすることができる。
前記ナットカバーの前記方位指標は前記天蓋部において前記中央孔の開口周部に一部を届かせる配置とされ、前記ボルト端カバーの前記方位指標は前記ボルト挿入孔の開口周部に一部を届かせる配置とされて、両カバーの相対回転でそれぞれの前記方位指標同士が周方向で相互接近離反可能とされたものとするのがよい。
【発明の効果】
【０００９】
本発明に係るキャップでは、少なくともナットに対する緩み点検が可能であり、ボルトの端部に対してナットが螺合されているような箇所ではナットの緩み点検とボルトの緩み点検との両方を行うこともできる。
【図面の簡単な説明】
【００１０】
【図１】本発明に係るキャップの第１実施形態を示した斜視図であって（ａ）は使用状況（ナット及びボルト端への装着状態）であり（ｂ）はナットカバーとボルト端カバーとを分離した状態である。
【図２】本発明に係るキャップの第１実施形態を示した側断面図であって（ａ）は使用状況（ナット及びボルト端への装着状態）であり（ｂ）はナットカバーとボルト端カバーとの分離状態である。
【図３】ナットカバーの第２実施形態を示しており（ａ）は平面図であり（ｂ）は（ａ）のＡ−Ａ線断面図であり（ｂ）は（ａ）のＢ−Ｂ線断面図である。
【図４】ボルト端カバーの第２実施形態を示しており（ａ）は平面図であり（ｂ）は（ａ）のＣ−Ｃ線断面図であり（ｂ）は（ａ）のＤ−Ｄ線断面図である。
【発明を実施するための形態】
【００１１】
以下、本発明の実施の形態を、図面に基づき説明する。
図１及び図２は、本発明に係るキャップ１の第１実施形態を示している。本第１実施形態のキャップ１は、ナットＮに被せるナットカバー２と、ボルトの端部Ｂ（以下、「ボルト端Ｂ」と言う）に被せるボルト端カバー３とを有したものとしてある。
まず、ナットカバー２について説明する。
【００１２】
ナットカバー２は、ナットＮの頭頂面（対象部材Ｍから突出したボルト端Ｂに螺合して対象部材Ｍへ着座させたときに最上となる面）を被覆する天蓋部１０と、この天蓋部１０の外周部を取り囲んで設けられてナットＮまわりの側面を被覆する外壁部１１とを有して成る。
このナットカバー２は、例えば合成ゴム（インブレンゴム、スチレンゴム、ブチルゴム、ブタジエンゴム、エチレン・プロピレンゴム、ニトリルゴム、クロロプレンゴム、ハイパロン、ウレタンゴム、多硫化ゴム、フッ素ゴム、アクリルゴム、エチレン・酢ビゴム、ヒドリンゴムなど）や天然ゴム、軟質樹脂（ポリ塩化ビニルや一般に「シリコーンゴム」と呼称されるもの等）、硬質樹脂、アルミや銅、真鍮などの軟質金属、ステンレスなどの耐食性金属、耐食被膜を備えた種々の金属など、形成素材は特に限定されるものではない。
【００１３】
そして天蓋部１０には、ナットＮに設けられた雌ネジ孔に合致するように、配置と孔径が設定された中央孔１２が設けられている。そのため、図２（ａ）に示すように、このナットカバー２をナットＮに装着させることで、ナットＮと螺合関係とされたボルト端Ｂが中央孔１２から突き抜けさせることができる。
なお、このナットカバー２をナットＮよりも軟質の素材で形成する場合では、中央孔１２の孔径をナットＮの雌ネジ孔よりも若干小さくして、その開口縁部がボルト端Ｂに高い接触圧で当接するようにしてもよい。これにより、ナットＮの全体やナットＮとボルト端Ｂとの螺合部分の防水効果、及びナットＮとボルト端Ｂとの相対間の緩み止め効果などを期待することができる。
【００１４】
ナットカバー２の外壁部１１には、ナットＮまわりの側面に接触する回り止め接触部１３が設けられている。この回り止め接触部１３は、ナットＮまわりの側面に設けられた工具係合面（六角ナットの場合には６つの外コーナーを形成している６面に相当）に係合する凹凸係合部（内曲がり方向で正六角形を形成するように屈曲した凹面）によって形成されている。
【００１５】
この回り止め接触部１３は、ナットカバー２が合成ゴムや天然ゴム、軟質樹脂などの弾性材によって形成される場合であれば、ナットＮまわりの側面を強く対向押圧（挟持）することができるように、ナットＮの外幅（二面幅寸法など）よりも若干、小さめの凹部とすることで形成することも可能である。
なお、ナットＮは六角ナットに限定されるものではなく、四角ナットとしてもよい。この場合には当然に、回り止め接触部１３も、内曲がり方向で四角形を形成するように屈曲した凹面によって形成されたものとすればよい。また、このような四角ナット用の回り止め接触部１３を備えるナットカバー２を、六角ナットであるナットＮに対して使用することや、反対に六角ナット用の回り止め接触部１３を備えるナットカバー２を、四角ナットであるナットＮに対して使用することも可能である。
【００１６】
また特殊な例として、ナットＮには円盤形や円柱形をしたもの（「丸ナット」等の商品名で呼称されることもある）もあり、この場合はナットＮまわりの外周面にプライヤー等の工具（作業者の手を含む）を滑り止め状態で噛合させるためのローレット部や、１個又は周方向に複数個の引っ掛け凹部（半球状や角形の凹部）が工具係合面として形成されているのが一般的である。そこで、外壁部１１の回り止め接触部１３は、このようなローレット部に係合するギザギザ面や、引っ掛け凹部に係合する突起（半球状や角形の凸部）として形成することもできる。
【００１７】
ナットカバー２の外壁部１１に設けられる回り止め接触部１３と、ナットＮの工具係合面との係合は、少なくとも、ナットＮが緩み回転をするときの回転方向だけで生じるものとしてもよい。
このような構成を備えるナットカバー２では、図１に示すように、天蓋部１０に対して方位指標１５が設けられていると共に、外壁部１１に対して方位指標１６が設けられている。これらの方位指標１５，１６は、いずれも周方向の特定方位を指示するためのものである。
【００１８】
なお、両方の方位指標１５，１６を有していることが限定されるものではなく、いずれか一方だけを有したものとしてもよい。
天蓋部１０の方位指標１５は、例えば天蓋部１０を径方向に横断する線状のものとすることができる。すなわち、天蓋部１０における中央孔１２を挟んだ両側において、方位指標１５の一端は中央孔１２の開口周部に届かせ、他端は天蓋部１０の外縁部（外壁部１１との接続部）に届かせる配置とすることができる。
【００１９】
なお、方位指標１５を線状とすることは限定されることではなく、三角形状などの図形として、その頂点を中央孔１２の開口周部や天蓋部１０の外縁部に届かせるような配置としてもよい。
また外壁部１１の方位指標１６についても、例えば外壁部１１を高さ方向（外壁部１１の下縁から上縁まで）に縦断する線状のものとすることができる。
【００２０】
これらの方位指標１５，１６は、塗装、印刷、シール、刻印、エンボス加工、他種素材の埋め込みや張り付け等によって形成されたものとすればよい。
なお、本第１実施形態では、ナットカバー２の外壁部１１をナットＮの外形状（六角形）に倣った六角形状としてあり、それによって外壁部１１の肉厚を均一にして製造の容易さや低コスト化を図ってある。しかし、外壁部１１の外周面を円筒形状などとして形成することも可能である。このようにすることで、ナットＮを故意に緩める作業時に、誤ってナットカバー２に工具を嵌め付けてしまうようなことを防止できる利点がある。
【００２１】
次に、ボルト端カバー３について説明する。
ボルト端カバー３は、ナットカバー２の天蓋部１０に設けられた中央孔１２に対し、これと合致するボルト挿入孔２０を有して筒状に形成されている。
図例では、筒先端となる部位が半球状を呈して閉じられた構造とされたものを示しているが、ラグビーボールにおける長軸側の半球状を呈して閉じられたものとしたり、扁平な円形で閉鎖されたものとしたりしてもよい。また場合によっては径小の中心孔を有したドーナツ板状としたり閉鎖せずに全開放にしたり（要するにカバー全体を筒状にする）してもよい。
【００２２】
また、ボルト端カバー３における筒の長さは特に限定されるものではなく、ナットＮからボルト端Ｂが突出する長さに対して、それと同等としてもよいし、短くしても、或いは長くしてもよい。
図例ではボルト端Ｂの突出長さよりも長くして、ボルト端Ｂの先に空間が生じるようにしてある。そのため、ボルト端カバー３の下端をナットカバー２の天蓋部１０に当接させた使用状態として、ナットＮからボルト端Ｂの突出する長さがある程度大きくなっても、ボルト端Ｂの全長をボルト挿入孔２０内に収容可能となっている。すなわち、ボルト端カバー３の下端がナットカバー２の天蓋部１０に接触する状態が維持される。
【００２３】
ボルト端カバー３の形成素材についても、ナットカバー２の場合と同様であり、特に限定されるものではない。例えば合成ゴム（インブレンゴム、スチレンゴム、ブチルゴム、ブタジエンゴム、エチレン・プロピレンゴム、ニトリルゴム、クロロプレンゴム、ハイパロン、ウレタンゴム、多硫化ゴム、フッ素ゴム、アクリルゴム、エチレン・酢ビゴム、ヒドリンゴムなど）や天然ゴム、軟質樹脂（ポリ塩化ビニルや一般に「シリコーンゴム」と呼称されるもの等）、硬質樹脂、アルミや銅、真鍮などの軟質金属、ステンレスなどの耐食性金属、耐食被膜を備えた種々の金属などを採用可能である。
【００２４】
このボルト端カバー３において、ボルト挿入孔２０の内面には、ナットカバー２の中央孔１２内から突出するボルト端Ｂの側面に対し、接触するようになされた回り止め接触部２１が設けられている。
この回り止め接触部２１は、ボルト端Ｂよりも軟質の素材で形成する場合や、ボルト端カバー３が合成ゴムや天然ゴム、軟質樹脂などの弾性材によって形成される場合であれば、ボルト端Ｂまわりを強く押圧（挟持）することができるように、ボルト挿入孔２０をボルト端Ｂの呼び径よりも若干、小さめに形成することが可能である。この構成を採用することにより、ボルト端Ｂの防水効果などを期待することができる。
【００２５】
このような構成を備えるボルト端カバー３では、図１に示すように、その外面に対して方位指標２２が設けられている。この方位指標２２は、周方向の特定方位を指示するためのものであって、例えばボルト端カバー３を筒形の長手方向（軸方向）に縦断する（一端部をボルト挿入孔２０の開口周部とし他端部をボルト挿入孔２０における径方向の対向側となる開口周部とする）線状のものとすることができる。
【００２６】
なお、この方位指標２２は、線状とすることは限定されることではなく、三角形状などの図形として、その頂点をボルト挿入孔２０の開口周部に届かせるような配置としてもよい。
この方位指標２２は、塗装、印刷、シール、刻印、エンボス加工、他種素材の埋め込みや張り付け等によって形成されたものとすればよい。
【００２７】
次に、本発明に係るキャップ１の第１実施形態についてその使用方法を説明する。
対象部材Ｍから突出した状態のボルト端Ｂに対し、ナットＮを螺合し、ナットＮを対象部材Ｍへ着座させると共に、ナットＮからボルト端Ｂが突出した状態となっているものとして、ナットＮにナットカバー２を被せて装着し、またナットＮから突出しているボルト端Ｂへボルト端カバー３を被せて装着する。
【００２８】
このとき、ナットカバー２は、その外壁部１１の内面に設けられた回り止め接触部１３とナットＮの側面として形成されている工具係合面（六面体）との係合により、方向性がある程度、特定されている。
そこで、このナットカバー２の天蓋部１０に設けられた方位指標１５を基準に、ボルト端カバー３の方位指標２２を合致させる（連続した１本の線にする）ようにして、ボルト端カバー３の回転向きを調節する。
【００２９】
なお、ナットカバー２の方位指標１５は、その一端を中央孔１２の開口周部へと届かせてあり、またボルト端カバー３の方位指標２２は、その両端をボルト挿入孔２０の開口周部へと届かせてあるので、ボルト端カバー３を回転させることで、方位指標１５，２２が周方向において相互近接離反する様子を、一目して容易に判別することが可能であることは言うまでもない。
【００３０】
なおまた、ボルト端カバー３は、ボルト挿入孔２０の内面に設けられた回り止め接触部２２によってボルト端Ｂに接触していることから、ボルト端Ｂが緩み方向に回転するときには係合力を受けて、ボルト端３と一緒に共回りするが、ボルト端カバー３に対して故意に回転力を付与した場合には、ボルト端カバー３のみを回転させられることは言うまでもない（すなわち、ボルト端カバー３に付与した回転力程度で、ボルト端Ｂが回転することはない）。
【００３１】
また、これと同時に、ナットカバー２の外壁部１１に設けられた方位指標１６を基準に、図１（ａ）に示すように対象部材Ｍに基線Ｐを表示させる。この基線Ｐは、チョークや油性ペン、塗料、或いはテープなどを用いたマーキングにより行えばよい。
このような状態で、緩み点検を行うに際しては、基線Ｐに対する方位指標１６の合致度、及び方位指標１５に対する方位指標２２の合致度を目視点検すればよい。もし、ナットＮやボルト端Ｂに緩みが生じていれば、基線Ｐと方位指標１６や方位指標１５，２２の間にズレが生じているので、たとえ微少なズレであったとしても、直ちにナットＮやボルト端Ｂの緩みを発見できるものである。
【００３２】
図３は、ナットカバー２の第２実施形態を示している。このナットカバー２の第２実施形態は、方位指標１５，１６を異種素材によって設けた例である。方位指標１５，１６は帯状素材をＬ型に屈曲させた一体物としてもよいし、それぞれ別の帯状素材により形成したものでもよい。
方位指標１５，１６の固定は、天蓋部１０や外壁部１１に対する二色成形やインサート成形、或いは熱融着や接着剤を用いた固着などとすればよい。
【００３３】
また、本第２実施形態のナットカバー２では、ナットＮだけでなく、ナットＮが座金やパッキン、スペーサなどの敷物を介して対象部材Ｍに締め付けられる場合に対応できるようにするために、敷物用の収容空間２３を備えたものとなっている。
図４は、ボルト端カバー３の第２実施形態を示している。このボルト端カバー３の第２実施形態についても、方位指標２２を異種素材によって設けた例としてある。
【００３４】
また、回り止め接触部２２については、ボルト端Ｂの側面に設けられた雄ネジ部とは逆ねじ関係の雌ネジ状の線状突起によって形成してある。
逆ネジではなく、順方向螺旋のネジとしてもよいし、恰もリード角をゼロとしたネジのような平行な三角突条としてもよい。
ところで、本発明は、前記した各実施形態に限定されるものではなく、実施の形態に応じて適宜変更可能である。
【００３５】
本発明に係るキャップ１は、少なくともナットカバー２を有したものである。
ナットカバー２において、方位指標１５や１６は、中央孔１２の片側に対してだけ、設けてもよい。また、中央孔１２のまわりに３箇所以上設けてもよい（使用上において周方向の混同や点検時の見間違いを避ける意味で、色違いや太さ違いなどにしておけばよい）。
【００３６】
ボルト端カバー３においても、方位指標２２は、周方向の１箇所にだけ、設けてもよいし、周方向の３箇所以上に設けてもよい。
ナットカバー２やボルト端カバー３は、ナットＮやボルト端Ｂの腐食や汚損などを防止する作用をも兼用させる目的で、相当の素材選出や構造選択をして形成し、使用することもできる。
【符号の説明】
【００３７】
１  キャップ
２  ナットカバー
３  ボルト端カバー
１０  天蓋部
１１  外壁部
１２  中央孔
１３  回り止め接触部
１５  方位指標
１６  方位指標
２０  ボルト挿入孔
２１  回り止め接触部
２２  方位指標
２３  敷物用の収容空間
Ｂ  ボルト端
Ｍ  対象部材
Ｎ  ナット
Ｐ  基線
【図１】
2019196814.tif 000003
【図２】
2019196814.tif 000004
【図３】
2019196814.tif 000005
【図４】
2019196814.tif 000006